(57)【特許請求の範囲】
【請求項１】
軒天井における胴縁間の通気に用いられる水切材であって、
前記胴縁に当接して用いられ、垂直方向に延びる立ち上がり部と、
前記立ち上がり部の下方端縁に接続され、一方側の水平方向に延び、第１通気孔が形成された第１水平部と、
前記第１水平部の前記一方側の端縁に接続され、垂直下方に延びる第１垂直部と、
前記第１垂直部の下方端縁に接続され、前記一方側とは反対の他方側の水平方向に延び、第２通気孔が形成された第２水平部と、
前記第２水平部の前記他方側の端縁に接続され、垂直上方に延びる第２垂直部と、
前記第２垂直部の上方端縁に接続され、前記一方側の水平方向に、前記立ち上がり部の前記下方端縁の途中まで延びる第３水平部とを備え、
前記第１垂直部と前記第２垂直部とは、その短手方向断面において前記立ち上がり部を対称軸として対称な位置関係にある、水切材。
【請求項２】
前記立ち上がり部の下方端縁と前記第３水平部の前記一方側の端縁との間の通気スペースの通気抵抗と、前記第１通気孔の通気抵抗とが異なる、請求項１記載の水切材。
【請求項３】
前記水切材は、１枚の板状素材から折り曲げ加工によって一体的に形成された物である、請求項１又は請求項２記載の水切材。
【請求項４】
軒天井における出隅又は入隅で用いられ、請求項１記載の同一断面形状の水切材を２つ連結するための出隅入隅兼用水切材であって、
前記水切材の一方の長手方向の一方端部及び他方端部のいずれも連結することができる第１連結部と、
前記水切材の他方の長手方向の一方端部及び他方端部のいずれも連結することができる第２連結部とを備え、
前記第１連結部と前記第２連結部との各々の連結方向のなす角度は、平面視９０度に設定される、出隅入隅兼用水切材。
【発明の詳細な説明】
【技術分野】
【０００１】
この発明は水切材及び出隅入隅兼用水切材に関し、特に軒天井における胴縁間の通気に用いられる水切材及び、軒天井における出隅又は入隅で用いられる出隅入隅兼用水切材に関するものである。
【背景技術】
【０００２】
図１１は、特許文献１で開示された従来のオーバーハング部材の斜視図である。
【０００３】
図を参照して、オーバーハング部材１２１は、平板状の垂直取り付け平面部１２２と、垂直取り付け平面部１２２の下端に接続された段部１２５と、段部１２５の下端に接続されて水平方向に形成され、その端部が折り返された背面取り付け部１２８と、背面取り付け部１２８の端部に接続された樋状部１３１とから構成される。
【０００４】
オーバーハング部材１２１の樋状部１３１は、背面取り付け部１２８の端部に接続された傾斜面１３２と、傾斜面１３２の下端に接続され、複数の孔１３５が形成された底面１３４と、底面１３４の端縁に接続された垂直面１３６とからなる。
【０００５】
図１２は、図１１で示したオーバーハング部材を建築物のオーバーハング部に設置した状態を示す断面図である。
【０００６】
図を参照して、オーバーハング部材１２１の背面取り付け部１２８の上面が軒天材１４１の下面の一部に当接した状態で、オーバーハング部材１２１の垂直取り付け平面部１２２が柱１４８に釘１５０で固定されている。
【０００７】
縦胴縁１４２は、防水紙１４７を介して、オーバーハング部材１２１の垂直取り付け平面部１２２の外方側に取り付けられている。外壁材１４５は、パッキン材１４９を介して、縦胴縁１４２の外方側に取り付けられている。
【０００８】
オーバーハング部材１２１の樋状部１３１の垂直面１３６の外面は、外壁材１４５の内面の一部に当接している。又、オーバーハング部材１２１の段部１２５の上面は、縦胴縁１４２の一部に当接している。
【０００９】
使用に際して、オーバーハング部材１２１の樋状部１３１の底面１３４に形成された孔１３５を介して、外気が縦胴縁１４２間へと入り、通気できるようになっている。
【００１０】
又、オーバーハング部材１２１の底面１３４の孔１３５を介して、縦胴縁１４２間で発生した結露水等は外方に排出される。
【先行技術文献】
【特許文献】
【００１１】
【特許文献１】特許第３５２２６９３号公報
【特許文献２】特開平１１−１９６８号公報
【発明の概要】
【発明が解決しようとする課題】
【００１２】
上記のような従来のオーバーハング部材１２１は、建築物に設置する際、上述したように設置する必要があり、設置の自由度が低いものであった。
【００１３】
又、設置時に、縦胴縁１４２間への外気の通気量を調整することはできなかった。
【００１４】
ここで、建築物のオーバーハング部の出隅においても、後述する課題を有していた。
【００１５】
図１３は、特許文献２で開示された従来の出隅用の水切り部材であって、（Ａ）は正面側から見た斜視図で、（Ｂ）は背面側から見た斜視図である。
【００１６】
図を参照して、出隅用の水切り部材１５１は、本体部１５８と、本体部１５８の上部に設けられた固定片部１５２と、本体部１５８の側面に形成されたジョイント部１５５ａ及びジョイント部１５５ｂと、本体部１５８の下部に設けられた底板部１６１とから構成される。
【００１７】
出隅用の水切り部材１５１の底板部１６１は、平面形状を有し、出隅部の頂部を通る対角線に沿って形成されたスリットＳと、スリットＳに対して略４５度の角度をなす断面Ｖの字形状を有する複数の溝１６３とからなる。
【００１８】
使用に際して、出隅用の水切り部材１５１の底板部１６１を、各々の溝１６３に沿って折り曲げたり、ニッパー等によって切除したりすることで、１種類の出隅用の水切り部材１５１で、土台水切り、通気水切り及びバルコニー水切りの全てに対応して用いることができる。
【００１９】
しかしながら、この出隅用の水切り部材１５１は、建築物の出隅では用いることができても、入隅では用いることができなかった。そのため、建築物の入隅で用いるためには、別途、入隅用の水切り部材を準備しておく必要があり、使用勝手が良くなかった。
【００２０】
この発明は、上記のような課題を解決するためになされたもので、設置の自由度が向上すると共に、通気量の調整が可能となる水切材と、使用勝手が向上する出隅入隅兼用水切材とを提供することを目的とする。
【課題を解決するための手段】
【００２１】
上記の目的を達成するために、請求項１記載の発明は、軒天井における胴縁間の通気に用いられる水切材であって、胴縁に当接して用いられ、垂直方向に延びる立ち上がり部と、立ち上がり部の下方端縁に接続され、一方側の水平方向に延び、第１通気孔が形成された第１水平部と、第１水平部の一方側の端縁に接続され、垂直下方に延びる第１垂直部と、第１垂直部の下方端縁に接続され、一方側とは反対の他方側の水平方向に延び、第２通気孔が形成された第２水平部と、第２水平部の他方側の端縁に接続され、垂直上方に延びる第２垂直部と、第２垂直部の上方端縁に接続され、一方側の水平方向に、立ち上がり部の下方端縁の途中まで延びる第３水平部とを備え、第１垂直部と第２垂直部とは、その短手方向断面において立ち上がり部を対称軸として対称な位置関係にあるものである。
【００２２】
このように構成すると、水切材を平面視１８０度水平回転させたとき、第１垂直部と第２垂直部とは、重なり合う位置関係にある。
【００２３】
請求項２記載の発明は、請求項１記載の発明の構成において、立ち上がり部の下方端縁と第３水平部の一方側の端縁との間の通気スペースの通気抵抗と、第１通気孔の通気抵抗とが異なるものである。
【００２４】
このように構成すると、通気スペースを介した通気量と、第１通気孔を介した通気量とが異なる。
【００２５】
請求項３記載の発明は、請求項１又は請求項２記載の発明の構成において、水切材は、１枚の板状素材から折り曲げ加工によって一体的に形成された物であるものである。
【００２６】
このように構成すると、水切材が１枚の板状素材のみで形成される。
【００２７】
請求項４記載の発明は、請求項１記載の発明の構成において、軒天井における出隅又は入隅で用いられ、請求項１記載の同一断面形状の水切材を２つ連結するための出隅入隅兼用水切材であって、水切材の一方の長手方向の一方端部及び他方端部のいずれも連結することができる第１連結部と、水切材の他方の長手方向の一方端部及び他方端部のいずれも連結することができる第２連結部とを備え、第１連結部と第２連結部との各々の連結方向のなす角度は、平面視９０度に設定されるものである。
【００２８】
このように構成すると、出隅入隅兼用水切材を平面視１８０度水平回転させることで、出隅又は入隅のどちらにも兼用して設置することができる。
【発明の効果】
【００３３】
以上説明したように、請求項１記載の発明は、水切材を平面視１８０度水平回転させたとき、第１垂直部と第２垂直部とは、重なり合う位置関係にあるため、第１垂直部又は第２垂直部のどちらを外方側にしても設置できるようになり、設置の自由度が向上する。
【００３４】
請求項２記載の発明は、請求項１記載の発明の効果に加えて、通気スペースを介した通気量と、第１通気孔を介した通気量とが異なるため、水切材を平面視０度及び１８０度水平回転状態のいずれかの状態を選択することによって、通気量の調整が可能となる。
【００３５】
請求項３記載の発明は、請求項１又は請求項２記載の発明の効果に加えて、水切材が１枚の板状素材のみで形成されるため、効率的な水切材となる。
【００３６】
請求項４記載の発明は、請求項１記載の発明の効果に加えて、出隅入隅兼用水切材を平面視１８０度水平回転させることで、出隅又は入隅のどちらにも兼用して設置することができるため、使用勝手が向上する。
【図面の簡単な説明】
【００３９】
【図１】この発明の第１の実施の形態による水切材及び出隅入隅兼用水切材からなる水切構造体の連結を示す概略斜視図である。
【図２】この発明の第１の実施の形態による水切材の正面側から見た概略斜視図である。
【図３】図２で示した水切材の背面側から見た概略斜視図である。
【図４】図２で示した水切材を建築物に設置した状態を示す概略断面図である。
【図５】図２で示した水切材を建築物に設置した他の状態を示す概略断面図である。
【図６】この発明の第２の実施の形態による水切材を建築物に設置した状態を示す概略断面図であって、図４に対応した図である。
【図７】この発明の第１の実施の形態による出隅入隅兼用水切材の正面側から見た概略斜視図である。
【図８】図７で示した出隅入隅兼用水切材の背面側から見た概略斜視図である。
【図９】図７で示した出隅入隅兼用水切材を建築物の出隅に設置した状態を示す概略断面図である。
【図１０】図７で示した出隅入隅兼用水切材を建築物の入隅に設置した状態を示す概略断面図である。
【図１１】特許文献１で開示された従来のオーバーハング部材の斜視図である。
【図１２】図１１で示したオーバーハング部材を建築物のオーバーハング部に設置した状態を示す断面図である。
【図１３】特許文献２で開示された従来の出隅用の水切り部材であって、（Ａ）は正面側から見た斜視図で、（Ｂ）は背面側から見た斜視図である。
【発明を実施するための形態】
【００４０】
図１は、この発明の第１の実施の形態による水切材及び出隅入隅兼用水切材からなる水切構造体の連結を示す概略斜視図である。
【００４１】
図を参照して、水切構造体１は、後述するように建築物４の軒天井における胴縁間の通気に用いられる同一断面形状の水切材１１ａ及び水切材１１ｂと、後述する軒天井における出隅５で用いられ、水切材１１ａと水切材１１ｂとを連結するための出隅入隅兼用水切材６１ａと、後述する軒天井における入隅６で用いられ、水切材１１ｂを連結するための出隅入隅兼用水切材６１ｂとを含んで構成される。
【００４２】
出隅入隅兼用水切材６１ａは、水切材１１ａの長手方向の一方端部５６ａ及び他方端部５７ａのいずれも連結することができる第１連結部６４ａと、水切材１１ｂの長手方向の一方端部５６ｂ及び他方端部５７ｂのいずれも連結することができる第２連結部７７ａとからなり、第１連結部６４ａと第２連結部７７ａとの各々の連結方向のなす角度が平面視９０度に設定されている。
【００４３】
図１においては、出隅入隅兼用水切材６１ａの第１連結部６４ａは、実線の矢印で示したように水切材１１ａの一方端部５６ａに連結している。出隅入隅兼用水切材６１ａの第２連結部７７ａは、破線の矢印で示したように水切材１１ｂの一方端部５６ｂに連結している。尚、水切材１１ａを平面視１８０度水平回転させて、水切材１１ａの他方端部５７ａを、出隅入隅兼用水切材６１ａの第１連結部６４ａに連結させることもできる。同様にして、水切材１１ｂの他方端部５７ｂを、出隅入隅兼用水切材６１ａの第２連結部７７ａに連結させることもできる。
【００４４】
出隅入隅兼用水切材６１ｂは、出隅入隅兼用水切材６１ａと同様にして構成され、第１連結部６４ｂ及び第２連結部７７ｂからなる。そのため、出隅５に設置された出隅入隅兼用水切材６１ａを平面視１８０度水平回転させることで、出隅入隅兼用水切材６１ｂとして入隅６にも設置することができる。従って、出隅入隅兼用水切材６１ａ及び出隅入隅兼用水切材６１ｂは、出隅５又は入隅６のどちらにも兼用して設置することができるため、使用勝手が向上する。
【００４５】
又、出隅入隅兼用水切材６１ｂの第２連結部７７ｂは、水切材１１ｂの長手方向の一方端部５６ｂ及び他方端部５７ｂのいずれも連結することができるように形成されている。ここでは、図１の一点鎖線の矢印で示したように水切材１１ｂの他方端部５７ｂに連結している。尚、出隅入隅兼用水切材６１ｂの第１連結部６４ｂは、図示しない水切材の長手方向の一方端部及び他方端部のいずれも連結することができるように形成されており、図示しない水切材に連結して用いられても良い。
【００４６】
次に、上述した水切材の詳細について説明する。
【００４７】
図２は、この発明の第１の実施の形態による水切材の正面側から見た概略斜視図であり、図３は、図２で示した水切材の背面側から見た概略斜視図であり、図４は、図２で示した水切材を建築物に設置した状態を示す概略断面図である。
【００４８】
尚、この第１の実施の形態による水切材１１は、図１で示した水切材１１ａ及び水切材１１ｂと同一のものである。
【００４９】
これらの図を参照して、水切材１１は、建築物４の軒天井９１における胴縁９２間の通気に用いられ、長尺形状を有し、例えば鋼板等の１枚の板状素材から折り曲げ加工やプレス成形等によって一体的に形成される。よって、水切材１１は、別途成形された部材を組み合わせて形成する必要がなく、１枚の板状素材のみで形成されるので、効率的な水切材となる。
【００５０】
水切材１１は、防水紙９７を介して胴縁９２の内面に当接して用いられ、垂直方向に延びる立ち上がり部１６と、立ち上がり部１６の下方端縁１７に接続され、図２において背面側である一方側８の水平方向に延び、長手方向に複数の第１通気孔２２が形成された第１水平部２１と、第１水平部２１の一方側８の端縁２３に接続され、垂直下方に延びる第１垂直部２６と、第１垂直部２６の下方端縁２７に接続され、一方側８とは反対の他方側９（図２において正面側）の水平方向に延び、長手方向には複数の切り起こし３２による第２通気孔３３が形成された第２水平部３１と、第２水平部３１の他方側９の端縁３４に接続され、垂直上方に延びる第２垂直部４１と、第２垂直部４１の上方端縁４２に接続され、一方側８の水平方向に、立ち上がり部１６の下方端縁１７の途中まで延びる第３水平部４６とから構成される。
【００５１】
水切材１１の第１垂直部２６と第２垂直部４１とは、その短手方向断面において立ち上がり部１６を対称軸として対称な位置関係となるように構成されている。即ち、図２を参照して、水切材１１の第１垂直部２６の高さＨは、第２垂直部４１の高さＨと同一である。又、水切材１１の第１垂直部２６は、立ち上がり部１６の下方端縁１７から一方側８の水平方向に長さＷの位置にあり、水切材１１の第２垂直部４１は、立ち上がり部１６の下方端縁１７から他方側９の水平方向に長さＷの位置にある。よって、水切材１１の第１垂直部２６と第２垂直部４１とはそれぞれ、立ち上がり部１６から等しい長さＷで対向した位置にある。このように構成した理由については、後述する。
【００５２】
水切材１１には、立ち上がり部１６の下方端縁１７と第３水平部４６の一方側８の端縁４７との間のスペースによって通気スペース５１が形成される。平面視において、水切材１１の通気スペース５１の面積と、水切材１１の複数の第１通気孔２２の総面積とは、異なるように構成されている。ここでは、通気スペース５１の面積は、第１通気孔２２の総面積よりも大きく形成されている。このように構成した理由については、後述する。
【００５３】
設置に際して、図４を参照して、水切材１１は、軒天井９１の下面の一部に第３水平部４６の上面が当接した状態で、立ち上がり部１６を構造用面材９９に釘等で固定して取り付けられている。胴縁９２は、水切材１１の立ち上がり部１６を挟むようにして、防水紙９７を介して構造用面材９９に取り付けられている。即ち、水切材１１の立ち上がり部１６は、防水紙９７を介して胴縁９２の内面に当接した状態にある。サイディング９５は、その下端９６が水切材１１の下端よりも下方に位置するように、胴縁９２の外面に取り付けられる。このとき、水切材１１の第１垂直部２６の外面は、サイディング９５の下方に位置する内面の一部に当接する。
【００５４】
使用に際して、外気は、図４の実線の矢印で示したように、水切材１１の第２水平部３１に形成された切り起こし３２による第２通気孔３３から水切材１１内部へと入った後、第１水平部２１に形成された第１通気孔２２を介して、胴縁９２間へと入り、通気できるようになっている。尚、胴縁９２間に入った外気は、上記とは逆方向に、水切材１１の第１通気孔２２及び第２通気孔３３を介して、外方へ通気できる。
【００５５】
又、胴縁９２間で発生した結露水等は、水切材１１の第１通気孔２２及び第２通気孔３３を介して、外方に排出される。
【００５６】
図５は、図２で示した水切材を建築物に設置した他の状態を示す概略断面図である。
【００５７】
尚、この水切材１１は、図４で示した状態の水切材１１を平面視１８０度水平回転させて、建築物４に設置した状態である。ここでは、その相違点を中心に説明する。
【００５８】
図を参照して、水切材１１は、軒天井９１の下面の一部に第１水平部２１の上面が当接した状態にある。水切材１１の第２垂直部４１の外面は、サイディング９５の下方に位置する内面の一部に当接している。
【００５９】
水切材１１の第１垂直部２６と第２垂直部４１とは、上述したように、その短手方向断面において立ち上がり部１６を対称軸として対称な位置関係にある。即ち、水切材１１を平面視１８０度水平回転させたとき、第１垂直部２６と第２垂直部４１とは、重なり合う位置関係にあるので、水切材１１を平面視１８０度水平回転させても、図４と同一の建築物４の状態で設置できることになる。従って、水切材１１の第１垂直部２６と第２垂直部４１のどちらを外方側にしても設置できるようになり、設置の自由度が向上する。
【００６０】
使用に際して、外気は、図５の実線の矢印で示したように、水切材１１の第２水平部３１に形成された切り起こし３２による第２通気孔３３から水切材１１内部へと入った後、通気スペース５１を介して、胴縁９２間へと入り、通気できるようになっている。尚、胴縁９２間に入った外気は、上記とは逆方向に、水切材１１の通気スペース５１及び第２通気孔３３を介して、外方へ通気できる。
【００６１】
ここで、水切材１１の通気スペース５１の面積は、上述のように第１水平部２１に形成された第１通気孔２２の総面積よりも大きく形成されており、その結果、通気スペース５１の通気抵抗は第１通気孔２２の通気抵抗より小さく設定されている。そのため、通気スペース５１を介した通気量は図４で示した第１通気孔２２を介した通気量よりも多い。即ち、通過面積等を変えることによって水切材１１の通気スペース５１の通気抵抗と、第１通気孔２２の通気抵抗とが異なるように構成することで、通気スペース５１を介した通気量と、第１通気孔２２を介した通気量とが異なることになる。従って、水切材１１を図４で示した平面視０度及び図５で示した平面視１８０度水平回転状態のいずれかの状態を選択することによって、設置時に通気量の調整が可能となる。又、水切材１１をいずれの状態で設置しても、外観上は変化することがないので、使用勝手が向上する。更に、水切材１１の第２水平部３１には切り起こし３２が形成されているため、外方側から水切材１１の内部が見えにくく、美観が向上する。
【００６２】
更に、胴縁９２間で発生した結露水等は、水切材１１の通気スペース５１及び第２通気孔３３を介して、外方に排出できる。
【００６３】
図６は、この発明の第２の実施の形態による水切材を建築物に設置した状態を示す概略断面図であって、図４に対応した図である。
【００６４】
尚、この第２の実施の形態による水切材１２は、図２で示した第１の実施の形態による水切材１１と基本的な構成は同一である。ここでは、その相違点を中心に説明する。
【００６５】
図を参照して、水切材１２の第１垂直部２６と第２垂直部４１とはそれぞれ、立ち上がり部１６から等しい長さＷ１で対向した位置にあり、長さＷ１は図２で示した水切材１１の対応する長さ  Ｗより長い。水切材１２の第１垂直部２６及び第２垂直部４１の高さＨ１は、図２で示した水切材１１の対応する高さＨと同一である。尚、水切材１２における高さＨ１は、図２で示した水切材１１の対応する高さＨと異なるように形成しても良い。
【００６６】
又、サイディング９５は、その下端９６が水切材１１の第１水平部２１の上面よりも上方に位置するように、胴縁９２の外面に取り付けられている。これにより、サイディング９５の下端９６と第１水平部２１の上面との間には、通気口１０２が形成される。
【００６７】
使用に際して、外気は、図６の実線の矢印で示したように、図４で示した水切材１１と同様に、第２通気孔３３及び第１通気孔２２を介して、胴縁９２間へと入り、通気できる。
【００６８】
又、外気は、図６の破線の矢印で示したように、通気口１０２を介して、胴縁９２間へと入って、通気することもできる。
【００６９】
尚、水切材１２を平面視１８０度水平回転させて、図５で示した水切材１１の設置状態に対応するように建築物４に設置しても良い。
【００７０】
又、水切材１２は、防水紙９７を介して胴縁９２の内面に当接して設置されているが、防水紙９７を介して胴縁９２の外面に当接して用いられても良い。これにより、外気は、水切材１１の第２通気孔３３及び通気スペース５１を介して、胴縁９２間へと入り、通気できる。更に、この状態の水切材１２を平面視１８０度水平回転させて、建築物４に設置することで、外気は水切材１１の第２通気孔３３及び第１通気孔２２を介して、胴縁９２間へと入り、通気できる。尚、その際に、例えば水切材１２における長さＷ１を短く形成すること等によって、水切材１２の第３水平部４６の上方位置に、サイディング９５の下端９６を位置させることが好ましい。
【００７１】
図７は、この発明の第１の実施の形態による出隅入隅兼用水切材の正面側から見た概略斜視図であり、図８は、図７で示した出隅入隅兼用水切材の背面側から見た概略斜視図である。
【００７２】
尚、この第１の実施の形態による出隅入隅兼用水切材６１は、図１で示した出隅入隅兼用水切材６１ａと同一である。又、出隅入隅兼用水切材６１の第１連結部６４及び第２連結部７７は、図２で示した水切材１１と基本的な構成は同一である。ここでは、その相違点を中心に説明する。
【００７３】
出隅入隅兼用水切材６１の第１連結部６４及び第２連結部７７には、図２で示した水切材１１のような第１通気孔２２と、第２通気孔３３を有する切り起こし３２とが形成されていない。
【００７４】
出隅入隅兼用水切材６１の第２連結部７７において、第１垂直部８２及び第２垂直部８６の高さＨ２は、図２で示した水切材１１の第１垂直部２６及び第２垂直部４１の高さＨよりも少なくとも板厚分だけ大きく形成されている。出隅入隅兼用水切材６１の第１連結部６４についても同様に形成されている。
【００７５】
出隅入隅兼用水切材６１の第２連結部７７において、立ち上がり部７８から第１垂直部８２（又は第２垂直部８６）までの水平方向の長さＷ２は、図２で示した水切材１１の立ち上がり部１６から第１垂直部２６（又は第２垂直部４１）までの水平方向の長さＷよりも少なくとも板厚分だけ大きく形成されている。出隅入隅兼用水切材６１の第１連結部６４についても同様に形成されている。
【００７６】
このように構成することによって、出隅入隅兼用水切材６１の第１連結部６４の内方側に、図１で示した水切材１１ａの一方端部５６ａを挿入することができ、出隅入隅兼用水切材６１の第１連結部６４と水切材１１ａとが連結できる。同様にして、出隅入隅兼用水切材６１の第２連結部７７と水切材１１ｂとが連結できる。
【００７７】
出隅入隅兼用水切材６１は、鋼板等の１枚の板状素材から折り曲げ加工やプレス成形等によって一体的に形成されている。よって、出隅入隅兼用水切材６１は、別途成形された部材を組み合わせて形成する必要がなく、１枚の板状素材のみで形成されるので、効率的な出隅入隅兼用水切材となる。
【００７８】
又、出隅入隅兼用水切材６１の第１連結部６４と第２連結部７７との各々の連結方向のなす角度は、平面視９０度に設定されている。この連結状態を維持するために、第１連結部６４の立ち上がり部６５の側縁に接続されて９０度に折り曲げられた折り曲げ部６２の外方面に、第２連結部７７の立ち上がり部７８の上端の一部に接続されて折り返された折り返し部６３が当接することで、連結状態を保持している。又、第１連結部６４の第２垂直部７３の内面に、第２連結部７７の第２垂直部８６の側縁の一部に接続されて折り曲げられた折り曲げ部９０が当接することで、連結状態を更に保持している。
【００７９】
図９は、図７で示した出隅入隅兼用水切材を建築物の出隅に設置した状態を示す概略断面図である。
【００８０】
図を参照して、出隅入隅兼用水切材６１は、第１連結部６４において、軒天井９１の下面の一部に第３水平部７５の上面が当接した状態で、立ち上がり部６５を構造用面材９９に釘等で固定して取り付けられている。胴縁９２は、出隅入隅兼用水切材６１の立ち上がり部６５を挟むようにして、防水紙９７を介して構造用面材９９に取り付けられている。即ち、出隅入隅兼用水切材６１の立ち上がり部６５は、防水紙９７を介して胴縁９２の内面に当接した状態にある。サイディング９５は、その下端９６が出隅入隅兼用水切材６１の下端よりも下方に位置するように、胴縁９２の外面に取り付けられる。このとき、出隅入隅兼用水切材６１の第１垂直部６９の外面は、サイディング９５の下方に位置する内面の一部に当接する。尚、出隅入隅兼用水切材６１は、第２連結部７７においても、上記の第１連結部６４と同様にして設置されている。
【００８１】
図１０は、図７で示した出隅入隅兼用水切材を建築物の入隅に設置した状態を示す概略断面図である。
【００８２】
尚、この出隅入隅兼用水切材６１は、図９で示した状態の出隅入隅兼用水切材６１を平面視１８０度水平回転させて、建築物４の入隅６に設置した状態である。ここでは、その相違点を中心に説明する。
【００８３】
図を参照して、出隅入隅兼用水切材６１は、第２連結部７７において、軒天井９１の下面の一部に第１水平部８０の上面が当接した状態にある。出隅入隅兼用水切材６１の第２垂直部８６の外面は、サイディング９５の下方に位置する内面の一部に当接している。尚、出隅入隅兼用水切材６１は、第１連結部６４においても、上記の第２連結部７７と同様にして設置されている。
【００８４】
よって、上述したように構成された出隅入隅兼用水切材６１は、図９で示した出隅５に設置できるだけでなく、平面視１８０度水平回転させることで、図１０で示した入隅６にも設置することができる。従って、１つの出隅入隅兼用水切材６１で、出隅５又は入隅６のどちらにも兼用して用いることができるので、使用勝手が向上する。
【００８５】
尚、上記の各実施の形態では、水切材は、特定の素材から形成されたものであったが、それ以外の素材から形成されても良い。
【００８６】
又、上記の第１の実施の形態では、出隅入隅兼用水切材は、特定の素材から形成されたものであったが、それ以外の素材から形成されても良い。
【００８７】
更に、上記の第１の実施の形態では、出隅入隅兼用水切材は、同一断面形状の水切材に連結するものであったが、水切材の長手方向の一方端部及び他方端部のいずれも連結することができるものであれば、同一断面形状でなくても良い。
【００８８】
更に、上記の各実施の形態では、水切材の第１通気孔及び第２通気孔の各々は、複数個からなるものであったが、各々は少なくとも１つ以上であれば良い。
【００８９】
更に、上記の各実施の形態では、水切材は、通気スペースの通気抵抗と第１通気孔の通気抵抗とが異なるものであったが、等しくても良い。
【００９０】
更に、上記の第１の実施の形態では、水切材構造体は、特定数の水切材及び出隅入隅兼用水切材からなるものであったが、第１の水切材及び第２の水切材と、第１の水切材と第２の水切材とを連結するための出隅入隅兼用水切材とからなり、出隅入隅兼用水切材は第１の水切材の長手方向の一方端部及び他方端部のいずれも連結することができる第１連結部と、第２の水切材の長手方向の一方端部及び他方端部のいずれも連結することができる第２連結部とからなり、第１連結部と第２連結部との各々の連結方向のなす角度が平面視９０度に設定されるものであれば、それ以外の数からなるものであっても良い。
【００９１】
更に、上記の各実施の形態では、水切材は、通気スペースの面積と第１通気孔の総面積とが異なるものであったが、例えばこれらの通気形状を異なるように形成すること等によって、通気スペースの通気抵抗と第１通気孔の通気抵抗とを異なるようにしても良い。
【００９２】
更に、上記の第１の実施の形態では、出隅入隅兼用水切材は、第１連結部と第２連結部との各々の連結方向のなす角度は平面視９０度に設定されていたが、例えば平面視４５度や平面視１３５度のように、それ以外の平面視角度に設定されても良い。
【符号の説明】
【００９３】
１…水切構造体
５…出隅
６…入隅
８…一方側
９…他方側
１１…水切材
１２…水切材
１６…立ち上がり部
１７…下方端縁
２１…第１水平部
２２…第１通気孔
２３…端縁
２６…第１垂直部
２７…下方端縁
３１…第２水平部
３３…第２通気孔
３４…端縁
４１…第２垂直部
４２…上方端縁
４６…第３水平部
４７…端縁
５１…通気スペース
５６…一方端部
５７…他方端部
６１…出隅入隅兼用水切材
６４…第１連結部
７７…第２連結部
９１…軒天井
９２…胴縁
尚、各図中同一符号は同一又は相当部分を示す。
【要約】
【課題】  設置の自由度が向上すると共に、通気量の調整が可能となる水切材と、使用勝手が向上する出隅入隅兼用水切材及び水切構造体とを提供する。
【解決手段】  水切材１１ａは、立ち上がり部と、第１水平部と、第１垂直部と、第２水平部と、第２垂直部と、第３水平部とから構成される。第１垂直部と第２垂直部とは、立ち上がり部を対称軸として対称な位置関係にあることで、第１垂直部又は第２垂直部のどちらを外方側にしても設置できるようになり、設置の自由度が向上する。出隅入隅兼用水切材６１ａは、水切材１１ａの長手方向の両端部のいずれも連結することができる第１連結部６４ａと、水切材１１ｂの長手方向の両端部のいずれも連結することができる第２連結部７７ａとからなり、第１連結部６４ａと第２連結部７７ａとの各々の連結方向のなす角度が平面視９０度に設定されることで、出隅又は入隅のどちらにも兼用して設置できる。
【選択図】  図１【図１】
0006002341.tif 000002
【図２】
0006002341.tif 000003
【図３】
0006002341.tif 000004
【図４】
0006002341.tif 000005
【図５】
0006002341.tif 000006
【図６】
0006002341.tif 000007
【図７】
0006002341.tif 000008
【図８】
0006002341.tif 000009
【図９】
0006002341.tif 000010
【図１０】
0006002341.tif 000011
【図１１】
0006002341.tif 000012
【図１２】
0006002341.tif 000013
【図１３】
0006002341.tif 000014